(57)【要約】【課題】ボ−ル落下防止装置に関し、特に、工具交換装置や減速機の動力伝達部に使用される多数のボ−ルを周囲に配した回転体のボ−ルの離脱を防止するボ−ル落下防止装置に関する。【解決手段】カム溝６に案内される多数のボ−ル１を周囲に配した回転体９において、基部２の凹入部分５に収容したボ−ル１の離脱を防ぐための止め金具３で構成し、前記止め金具３は、回転体９の面に対して直角方向に、ボ−ル１を介して互いに真向かいに対向して配置され、止め金具３の後部は基部２に嵌め込み固定し、楔形先端部はボ−ル１の回転を可能にした状態でボ−ルの表面に接触してボ−ルを支持することによりボ−ルの離脱を防ぐボ−ル落下防止装置である。【選択図】図１
0003126371.tif 000002
【実用新案登録請求の範囲】
【請求項１】
カム溝（６）に案内される多数のボ−ル（１）を周囲に配した回転体（９）において、基部（２）の凹入部分（５）に収容したボ−ル（１）の離脱を防ぐための止め金具（３）で構成し、前記止め金具（３）は、回転体（９）の面に対して直角方向に、ボ−ル（１）を介して互いに真向かいに対向して配置され、止め金具（３）の後部は基部（２）に嵌め込み固定し、楔形先端部はボ−ル（１）の回転を可能にした状態でボ−ルの表面に接触してボ−ルを支持することによりボ−ルの離脱を防ぐボ−ル落下防止装置。
【請求項２】
カム溝（６’）に案内される多数のボ−ル（１’）を周囲に配した回転体（９’）において、基部（２’）の凹入部分（５’）に収容したボ−ル（１’）の離脱を防ぐための止め金具（３’）で構成し、前記止め金具（３’）は、回転体（９’）の面に対して直角方向に、ボ−ル（１’）の片側に配置され、止め金具（３’）の後部は基部（２’）に嵌め込み固定し、楔形先端部はボ−ル（１’）の回転を可能にした状態でボ−ルの表面に接触してボ−ルを支持することによりボ−ルの離脱を防ぐボ−ル落下防止装置。
【考案の詳細な説明】
【技術分野】
【０００１】  本考案はボ−ル落下防止装置に関し、特に、工具交換装置や減速機の動力伝達部に使用される多数のボ−ルを周囲に配した回転体のボ−ルの離脱を防止するボ−ル落下防止装置に関する。
【背景技術】
【０００２】  工具交換装置や減速機の動力伝達部には、歯車の代わりに多数のボ−ルを周囲に配した回転体が使用されるものがある。この場合、ボ−ルが抜け落ち易いことが大きな課題であり、従来からそのようなボ−ルの離脱を防ぐための工夫がなされてきた。【０００３】  従来、工具交換装置においてボ−ルの落下を防止する手段として、図４に点線で示すようなボ−ルの外周のボ−ル落下防止部にボ−ル落下防止用の壁１０を設けている。しかしこの方法では、ボ−ルの外周に壁をめぐらすことになり、その周囲の設計の自由度が制限され且つコンパクトにならない。さらにボ−ルの外周にボ−ル落下防止用の壁を設ける場合、カム溝とかみ合う部分には壁を設けることができないので回転体の全周にわたってボ−ルを保持できないなどの不都合が生じている。
【特許文献１】  特開平１１−９９４２８
【非特許文献１】  なし
【考案の開示】
【考案が解決しようとする課題】
【０００４】  従来のようにボ−ル落下防止用の壁を設けた場合、上述のようにボ−ルがカム溝とかみ合う部分には壁を設けることができないので、回転体の全周、即ちボ−ルの外周で３６０度にわたってボ−ルを保持することができない。
さらに、このボ−ル落下防止用の壁を設けると、ボ−ルの外周に壁をめぐらすことになり、その周りの設計の自由度が制限され且コンパクトにならない。
そのような問題を解決しようとするのが本考案の課題である。
本考案のボ−ル落下防止装置は止め金具で構成し、従来のボ−ル落下防止用の壁は設けない。この止め金具の後部は基部に嵌め込み固定し、楔形先端部はボ−ルの回転を可能にした状態でボ−ルの表面に接触してボ−ルを支持することによりボ−ルの離脱を防ぐものである。
【課題を解決するための手段】
【０００５】  本考案は、カム溝６に案内される多数のボ−ル１を周囲に配した回転体９において、基部２の凹入部分５に収容したボ−ル１の離脱を防ぐための止め金具３で構成し、前記止め金具３は、回転体９の面に対して直角方向に、ボ−ル１を介して互いに真向かいに対向して配置され、止め金具３の後部は基部２に嵌め込み固定し、楔形先端部はボ−ル１の回転を可能にした状態でボ−ルの表面に接触してボ−ルを支持することによりボ−ルの離脱を防ぐボ−ル落下防止装置である。
【考案の効果】
【０００６】  本考案のボ−ル落下防止装置は止め金具で構成し、この止め金具の後部は基部に嵌め込み固定し、楔形先端部はボ−ルの回転を可能にした状態でボ−ルの表面に接触してボ−ルを支持することによりボ−ルの離脱を防ぐものである。
従って本考案のボ−ル落下防止装置では、従来のボ−ル落下防止用の壁は設けないので回転体の全周、即ちボ−ルの外周で３６０度にわたってボ−ルを保持することができる。しかも本考案の止め金具は後部を基部に嵌め込み固定し、楔形先端部はボ−ルの表面に接触してボ−ルを支持するので基部とボ−ルを常時安定して保持できる効果がある。
さらに、このボ−ル落下防止用の壁を設けないので、ボ−ルの外周に壁をめぐらすこともなくなり、その周りの設計の自由度が制限されることがなく且コンパクトにすることができる効果がある。
ボ−ルをその中心線よりやや深く基部の凹入部分に収容し、止め金具の楔形先端部でボ−ルの表面に接触してボ−ルを支持するのでボ−ルを確実に保持できる効果がある。
【考案を実施するための最良の形態】
【０００７】  本考案はボ−ル落下防止装置を構成する止め金具であって、ボ−ルの落下を防止するために、止め金具の先端を楔形に鋭く形成し、その楔形の先端部でボ−ルの表面を保持するものである。
止め金具３は、回転体９の面に対して直角方向に、ボ−ル１を介して互いに真向かいに対向して２個配置される。止め金具３の後方部は基部２に嵌め込み、しっかりと固定され、楔形の先端部はボ−ル１の回転を可能にした状態でボ−ルの表面に接触してボ−ルを支持することによりボ−ルの離脱を防ぐ。
また、ボ−ル１’の中心とカム４’の中心とがずれている場合もあり、その場合の止め金具３’は、回転体９’の面に対して直角方向に、ボ−ル１’の片側に１個配置される。
【実施例１】
【０００８】  図１は、図４の矢印８で示す部分の拡大図であって、工具交換装置の減速部に本考案の止め金具３を使用した例である。
本考案のボ−ル落下防止装置は止め金具３で構成する。その止め金具３は、多数のボ−ル１を周囲に配した回転体９において、基部２の凹入部分５に収容したボ−ル１の離脱を防ぐためのものである。
止め金具３は、回転体９の面に対して直角方向に、ボ−ル１を介して互いに真向かいに対向して２個配置される。止め金具３の後方部は基部２に嵌め込み、しっかりと固定され、楔形の先端部はボ−ル１の回転を可能にした状態でボ−ルの表面に接触してボ−ルを支持することによりボ−ルの離脱を防ぐ。
ボ−ル１をその中心線よりやや深く基部２の凹入部分５に収容し、止め金具の楔形の先端部でボ−ルの表面に接触してボ−ルを支持する。
凹入部分５の周縁部７は面取り状に形成され、ボ−ルの挿入を容易にしている。
【実施例２】
【０００９】  図２は、図３の矢印８’で示す部分の拡大図であって、工具交換装置のタレット部に本考案の止め金具３’を使用した例である。
本考案のボ−ル落下防止装置は止め金具３’で構成する。その止め金具３’は、多数のボ−ル１’を周囲に配した回転体９’において、基部２’の凹入部分５’に収容したボ−ル１’の離脱を防ぐためのものである。
この例はボ−ル１’の中心とカム４’の中心とがずれている場合である。
止め金具３’は、回転体９’の面に対して直角方向に、ボ−ル１’の片側に１個配置される。止め金具３’の後方部は基部２’に嵌め込み、しっかりと固定され、楔形の先端部はボ−ル１’の回転を可能にした状態でボ−ルの表面に接触してボ−ル１’を支持することによりボ−ルの離脱を防ぐ。
ボ−ル１’をその中心線よりやや深く基部２’の凹入部分５’に収容し、止め金具３’の楔形の先端部でボ−ルの表面に接触してボ−ル１’を支持する。
凹入部分５’の周縁部７’は面取り状に形成され、ボ−ル１’の挿入を容易にする。
【図面の簡単な説明】
【００１０】
【図１】矢印８の部分の拡大図であって、減速部において本考案の止め金具でボ−ルを支えた状態を示す。
【図２】矢印８’の部分の拡大図であって、タレット部において本考案の止め金具でボ−ルを支えた状態を示す。
【図３】本考案の止め金具を使用した工具交換装置の正面図であって、内部を示すために一部破断して概略図で示したものである。
【図４】図３のタレット部のボ−ルの面でとった概略縦断面図であって、説明の都合上、従来のボ−ル落下防止壁１０を点線で示した。
【符号の説明】
【００１１】  １、１’    ボ−ル
２、２’    基部
３、３’    止め金具
４、４’    カム
５、５’    凹入部分
６、６’    カム溝
７、７’    凹入部分の面取り縁部
８、８’    矢印
９、９’    回転体
１０        従来のボ−ル落下防止壁
【図１】
0003126371.tif 000003
【図２】
0003126371.tif 000004
【図３】
0003126371.tif 000005
【図４】
0003126371.tif 000006